(57)【要約】      （修正有）【課題】故障しにくく長期的使用にも耐えることができ、組立が容易で、スペース的にも有利な、制御用キーボタンを提供する。【解決手段】機体１と、機体１の前面に設けられた液晶ディスプレイボード１０と、機体１内に設けられかつ液晶ディスプレイボード１０に画像表示するためのプロセッシングモジュール７と、プロセッシングモジュール７に制御信号を出力する制御用キーボタン１００とを有し、制御用キーボタン１００をタッチ式スイッチとしたことを特徴とする。【選択図】図１
0003138883.tif 000002
【実用新案登録請求の範囲】
【請求項１】
機体と、当該機体の前面に設けられた液晶ディスプレイボードと、前記機体内に設けられかつ前記液晶ディスプレイボードに画像表示するためのプロセッシングモジュールと、当該プロセッシングモジュールに制御信号を出力する制御用キーボタンと、を有し、
前記制御用キーボタンをタッチ式スイッチとしたことを特徴とする、タッチ感応式画像表示装置。
【請求項２】
前記タッチ式スイッチは、コンデンサー式のセンサーチップよりなる請求項１に記載のタッチ感応式画像表示装置。
【請求項３】
前記タッチ式スイッチは、前記機体と一体に形成してなる請求項１又は２に記載のタッチ感応式画像表示装置。
【請求項４】
前記タッチ式スイッチは、前記機体とは別体に設けたことを特徴とする請求項１又は２に記載のタッチ感応式画像表示装置。
【請求項５】
前記機体は、前記液晶ディスプレイボードの背面側に、当該機体の傾斜角を調節可能に支持する支持部材を有することを特徴とする請求項１に記載のタッチ感応式画像表示装置。
【考案の詳細な説明】
【技術分野】
【０００１】
本考案は、タッチ感応式画像表示装置、より詳しくは、機体に設けられた液晶ディスプレイボードに画像表示する制御信号を出力する制御用キーボタンの改良に関する。
【背景技術】
【０００２】
音響や映像を出力する画像表示装置は、映写機やテープレコーダーなどから、最近流行の携帯式オーディオプレイヤー（いわゆるＭＰ３プレイヤーなど）、マルチメディアプレイヤー、ＣＤプレイヤー、ビデオＣＤプレイヤー、ＤＶＤプレイヤーなど、多種多様である。
【０００３】
このような画像表示装置に使用されている制御用キーボタンは、従来から、いわゆる機械式で、回路基板上の電気回路と接続する接続部材を常時はばね部材により弾発した構成となっており、制御用キーボタンを押すことにより、電気回路と接続部材を電気的に接続し、制御信号を対応する制御用インターフェースに送信するようになっている。
【０００４】
しかし、このような制御用キーボタンは、作動部分を有する構造であるため、故障し易く長期的使用に耐えず、部品点数も多く、組立も複雑で、構成的にも大きなスペースをとる、という不具合がある。
【考案の開示】
【考案が解決しようとする課題】
【０００５】
本考案の第１の目的は、故障しにくく長期的使用にも耐えることができ、組立が容易で、スペース的にも有利な、制御用キーボタンを提供することにある。
【０００６】
本考案の第２の目的は、コンパクトであって、軽量な、携帯にも便利な画像表示装置を提供することにある。
【課題を解決するための手段】
【０００７】
上記目的を達成するために、本考案に係るタッチ感応式画像表示装置は、機体と、当該機体の前面に設けられた液晶ディスプレイボードと、前記機体内に設けられかつ前記液晶ディスプレイボードに画像表示するためのプロセッシングモジュールと、当該プロセッシングモジュールに制御信号を出力する制御用キーボタンと、を有し、前記制御用キーボタンをタッチ式スイッチとしたことを特徴とする。
【０００８】
本考案の好ましい実施形態では、前記タッチ式スイッチは、コンデンサー式のセンサーチップにより構成したものである。
【０００９】
前記タッチ式スイッチは、前記機体と一体に形成することが好ましく、機体とは別体に設けてもよい。
【００１０】
前記機体は、前記液晶ディスプレイボードの背面側に、当該機体の傾斜角を調節可能に支持する支持部材を有することが好ましい。
【考案の効果】
【００１１】
本考案に係るタッチ感応式画像表示装置は、制御用キーボタンをタッチ式スイッチとしたので、作動部分がなく、故障しにくく長期的使用にも耐えることができ、部品点数も少ないので、組立も容易で、スペース的にも有利なものとなる。
【００１２】
特に、タッチ式スイッチをコンデンサー式のセンサーチップにより構成すれば、人体が接触するのみで、人体との間で電気的に導通となり、プロセッシングモジュールが所定のインピーダンスと比較し、これを超えなければ、正常な起動と判断し、作動を開始する。
【００１３】
タッチ式スイッチを機体と一体に形成すれば、コンパクトな画像表示装置となり、機体とは別体に設ければ、液晶ディスプレイボードと離れた位置で操作できる。
【００１４】
機体の背面側に、傾斜角を調節可能に支持する支持部材を設ければ、液晶ディスプレイボードを見やすい位置にセットすることができる。
【考案を実施するための最良の形態】
【００１５】
以下、本考案の実施形態を、添付図面を参照して説明する。
【００１６】
図１は本考案の第１実施形態に係るタッチ感応式画像表示装置の正面図、図２は同画像表示装置の裏面側から見た斜視図、図３は画像表示装置の各部品のブロック図である。
【００１７】
本実施形態に係るタッチ感応式画像表示装置は、図１に示すように、外周を機体１により支持されている液晶ディスプレイボード１０を有している。液晶ディスプレイボード１０の左右両側には、スピーカー１１，１２が設けられ、機体１の下部には、複数の制御用キーボタン１００が配置されている。
【００１８】
機体１の背面側は、図２に示すように、メインフレーム箱３が設けられ、メインフレーム箱３の内部には、液晶ディスプレイボード１０に画像を表示するためのプロセッシングモジュール７（図３参照）が内蔵されている。
【００１９】
メインフレーム箱３の上部には、メモリ・カード・スロット４と、ディスクスロット５が設けられている。ここに、メモリ・カード・スロット４には、例えば、ＳＤメモリカード、マルチメディアカード、メモリスティックカード、メモリスティックプロカード、コンパクトフラッシュ（登録商標）タイプＩ／ＩＩカード、マイクロドライブカードなどのメモリカードが挿入されるようになっている。ディスクスロット５には、例えば、オーディオＣＤ、ビデオＣＤ（ＶＣＤ）、ＤＶＤなどのディスクメディアが挿入されるようになっている。
【００２０】
メインフレーム箱３の側部には、オーディオ・ビジュアル端子スロット（ＡＶ端子スロット）１３と、イヤフォン・ジャック１４と、アンテナ・アパーチャー１５が設けられ、ディジタル・アンテナとディジタル・ビデオ・ブロードキャスティング・テレストリアル同調器（ＤＶＢ−Ｔ同調器）があれば、ディジタル放送のテレビ番組を受信することができる。また、機体１の背面側にタイマー９も設けられている。
【００２１】
なお、タッチ感応式画像表示装置は、リモート・コントローラーを用いてオン―オフ制御を行うことができる。
【００２２】
プロセッシングモジュール７は、マスメディアから配信される、例えば、ＭＰＥＧ１、ＭＰＥＧ２、ＭＰＥＧ４、ＪＰＥＧ、ＭＪＰＥＧ、ＭＰ３などの規格により圧縮された動画や静止画を多機能なデコーダにより変換し、液晶ディスプレイボード１０に画像表示するものであるが、本実施形態では、図３に示すように、ＳＤメモリカード７a、マルチメディアカード（ＭＭＣカード）７ｂ、メモリスティックカード（ＭＣカード）７ｃ、メモリスティックプロカード（ＭＳ  ＰＲＯカード）７ｄ、コンパクトフラッシュ（登録商標）タイプＩ／ＩＩカード（ＣＦ  ＴＹＰＥＩ／ＩＩカード）7ｅ、マイクロドライブカード４１の内部のデータを読み取ることができるようになっている。
【００２３】
また、プロセッシングモジュール７の一端部には、無線接続端子７１と、操作インターフェース７２が接続され、他端部には、ビデオ・セレクタ７３と、オーディオ・セレクタ７４が接続されている。ビデオ・セレクタ７３は、オーディオ・ビジュアル端子（ＡＶ端子）からの入力情報２０を受信し、ＬＣＤドライバ７５を介して液晶ディスプレイボード１０に画像表示するようになっている。オーディオ・セレクタ７４は、アンプ回路７６を介してスピーカー１１，１２と接続されている。
【００２４】
さらに、電源管理モジュール８が設けられ、電源管理モジュール８は、変圧器８１、電池８２あるいは車両電池８３と接続され、これらから供給される電力を管理するようになっている。
【００２５】
プロセッシングモジュール７には、メモリ３００も接続され、バーコードスキャナが走査した商品のバーコードに応じて、メモリ３００の対応するメモリ・バンクから商品の読み出し、液晶ディスプレイボード１０に表示するようにもなっている。
【００２６】
画像表示装置は、液晶ディスプレイボード１０の背面側であってメインフレーム箱３の側部に支持部材２が設けられ、支点を中心として支持部材２を回動することにより機体１全体の傾斜角を調節可能としている。ただし、本考案は、このような画像表示装置のみに限定されるものではなく、図４に示すように、支持部材２を省略することもできる。
【００２７】
図４は画像表示装置を壁に掛けた状態を示す概略斜視図である。支持部材２を省略すれば、適当なフックあるいは止め具により画像表示装置を壁に掛けて使用することができる。
【００２８】
この場合、制御用キーボタン１００は、機体１とは別体に設け、機体１と制御用キーボタン１００を導線で接続するかあるいは無線で連絡可能とすれば、制御用キーボタン１００が目障りにならず、画像表示装置の外観美を損なうこともない。
【００２９】
支持部材２を省略した画像表示装置を使用するに当っては、図５及び図６に示すように、例えば、ガラスあるいはアクリル樹脂等の透明な板材や、石材などのような不透明な板材により構成された固定部材６００の中央部に機体１を取り付け、立設状態で使用してもよい。なお、機体１を固定部材６００に取り付けるには、固定部材６００に凹部を形成し、これに嵌め込んでもよく、また接着剤などを使用して両者を接合してもよい。
【００３０】
この場合、制御用キーボタン１００は、機体１から離間した位置、例えば、固定部材６００の下部に設けられた台座部７００に設けてもよい。
【００３１】
特に、本実施形態の制御用キーボタン１００は、タッチ式スイッチである。具体的には、コンデンサー式のセンサーチップよりなるスイッチであり、操作者が接触するのみで、操作者との間で電気的に導通となり、ここで生じるインピーダンスと、予め設定されている所定のインピーダンスとプロセッシングモジュール７が比較し、接触時のインピーダンスが所定のインピーダンスを超えなければ、正常な起動と判断し、所定の作動を開始するようになっている。
【００３２】
図６は制御用キーボタンを間接的に触動させる状態を示す概略断面図である。間接的にキーボタン１００を触動させる構成としては、例えば、図６に示すように、台座部７００の背面に前記センサーチップよりなる制御用キーボタン１００を取り付け、これをボード１０１により覆い、操作者が台座部７００の表面のキーボタン１００に対応する位置を指でタッチすることにより間接的にキーボタン１００を触動させるようにしている。
【００３３】
図７は制御用キーボタンの表面などに貼る表示部を例示する図である。
【００３４】
このように制御用キーボタン１００は、機体１と一体又は別体に設けてもよいが、いずれにしても、図７に示すように、制御用キーボタン１００の表面あるいはキーボタン１００の対応する位置の表面に、放映プログラムの内容を識別するマーク、図案などの表示部１０２を設けると、使用者がその表示部１０２から鑑賞しようとする放映プログラムを選択することができ、利便性が向上する。
【００３５】
いくつかの好ましい実施形態を述べたが、本考案は、これらのみに限定されるものではなく、実用新案登録請求の範囲に記載された本考案の精神を逸脱することなく、種々変形あるいは変更することができる。
【図面の簡単な説明】
【００３６】
【図１】本考案の第１実施形態に係るタッチ感応式画像表示装置の正面図である。
【図２】同画像表示装置の裏面側から見た斜視図である。
【図３】画像表示装置の各部品のブロック図である。
【図４】画像表示装置を壁に掛けた状態を示す概略斜視図である。
【図５】画像表示装置をガラスの壁面に掛けた状態を示す概略斜視図である。
【図６】制御用キーボタンを間接的に触動させる状態を示す概略断面図である。
【図７】制御用キーボタンの表面などに貼る表示部を例示する図である。
【符号の説明】
【００３７】
１…機体、
１０…液晶ディスプレイボード、
２…支持部材、
１１，１２…スピーカー、
３…メインフレーム箱、
４…メモリ・カード・スロット、
５…ディスクスロット、
１３…ＡＶ端子スロット、
１４…イヤフォン・ジャック、
１５…アンテナ・アパーチャー、
７…プロセッシングモジュール、
７ａ…ＳＤメモリカード、
７ｂ…ＭＭＣカード、
７ｃ…ＭＣカード、
７ｄ…ＭＳ  ＰＲＯカード、
７ｅ…ＣＦ  ＴＹＰＥ  Ｉ／ＩＩカード、
４１…マイクロドライブカード、
７１…無線接続端子、
７２…操作インターフェース、
７３…ビデオ・セレクタ、
７４…オーディオ・セレクタ、
７５…ＬＣＤドライバ、
７６…アンプ回路、
８…電源管理モジュール、
８１…変圧器、
８２…電池、
８３…車両電池、
９…タイマー、
１００…制御用キーボタン、
１０１…ボード、
１０２…表示部、
３００…メモリ、
６００…固定部材、
７００…台座部。
【図１】
0003138883.tif 000003
【図２】
0003138883.tif 000004
【図３】
0003138883.tif 000005
【図４】
0003138883.tif 000006
【図５】
0003138883.tif 000007
【図６】
0003138883.tif 000008
【図７】
0003138883.tif 000009